【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
発信元通信装置と一つまたは複数の応答側通信装置との間でメッセージを匿名で送るための通信ルータであって、前記メッセージは主題識別子を含み、前記ルータおよび前記通信装置はそれぞれ少なくとも一つの通信識別子を有し、前記ルータは、
前記発信元通信装置に対する少なくとも一つの通信識別子と、前記発信元通信装置により設定された所定の主題識別子であって、所定の主題に関連付けられたメッセージを示す前記所定の主題識別子とを格納する発信元格納手段と、
一つまたは複数の応答側通信装置のそれぞれに対する少なくとも一つの通信識別子を格納し、各応答側通信装置に一意のタグ識別子を割り当てる応答側格納手段と、
一つまたは複数の応答側通信装置から発せられた前記所定の主題識別子を含む受信メッセージを選択し、選択されたメッセージのそれぞれに、その出所に基づいて適切なタグ識別子を加え、前記選択されたメッセージを前記発信元通信装置に、その少なくとも一つの通信識別子を用いて送信する第１のメッセージ・ハンドラと、
前記発信元通信装置からメッセージを受信し、格納された通信識別子を用いて、メッセージ中に含まれる前記所定の主題識別子およびタグ識別子に基づいて、メッセージを適切な応答側通信装置に送信する第２のメッセージ・ハンドラと
を備える通信ルータ。
【請求項２】
前記ルータはさらに、通信装置に関連付けられたメッセージのフォーマットを示すフォーマット識別子データを格納するフォーマット識別子格納手段を備える、請求項１に記載の通信ルータ。
【請求項３】
前記ルータはさらに、発信元装置と適切な応答側通信装置との間で送信されるメッセージを、前記通信装置に対する格納されたフォーマット識別子に基づいて該メッセージを受信する通信装置に適合するフォーマットに変換する変換手段を備える、請求項２に記載の通信ルータ。
【請求項４】
前記変換手段は、前記ルータが受信したメッセージをマーク・アップ言語フォーマットに変換する、請求項３に記載の通信ルータ。
【請求項５】
前記通信装置のうちの一つまたは複数が一つまたは複数の外部ネットワーク上に配置され、前記ルータは、前記一つまたは複数の外部ネットワークと接続するための少なくとも一つのインターフェースを備える、請求項１乃至４のいずれか一項に記載の通信ルータ。
【請求項６】
前記一つまたは複数の外部ネットワークは、ＧＳＭ無線ネットワーク、データ・ネットワーク、および電話網のうちの少なくとも１つを含む、請求項５に記載の通信ルータ。
【請求項７】
前記ルータは、コンピュータ・システムの形態の発信元装置と接続するためのインターフェースを備える、請求項１乃至６のいずれか一項に記載の通信ルータ。
【請求項８】
前記メッセージは、音声メッセージ、電子メール、およびテキスト・メッセージのうちの少なくとも１つを含む、請求項１乃至７のいずれか一項に記載の通信ルータ。
【請求項９】
前記第１のメッセージ・ハンドラは、第１の受信メッセージ・ハンドラであって、一つまたは複数の応答側から受信したメッセージに基づいて一つまたは複数の応答側通信装置に対する通信識別子を決定し、前記応答側格納手段に、割り当てられた前記一意のタグ識別子とともに前記通信識別子を格納させる前記第１の受信メッセージ・ハンドラを含む、請求項１乃至８のいずれか一項に記載の通信ルータ。
【請求項１０】
前記第２のメッセージ・ハンドラは、第２の受信メッセージ・ハンドラであって、前記発信元通信装置から受信したメッセージに基づいて前記発信元通信装置に対する通信識別子を決定し、前記発信元格納手段に、前記所定の主題識別子とともに前記通信識別子を格納させる第２の受信メッセージ・ハンドラを含む、請求項１乃至９のいずれか一項に記載の通信ルータ。
【請求項１１】
データ・ストアが前記発信元格納手段と前記応答側格納手段とを構成する、請求項１乃至１０のいずれか一項に記載の通信ルータ。
【請求項１２】
メッセージ・ブローカが前記第１および第２のメッセージ・ハンドラを構成する、請求項１乃至１１のいずれか一項に記載の通信ルータ。
【請求項１３】
発信元通信装置と一つまたは複数の応答側通信装置との間でメッセージを匿名で送るための方法であって、前記メッセージは主題識別子を有し、前記通信装置はそれぞれ少なくとも一つの通信識別子を有し、
前記方法は、
前記発信元通信装置に対する少なくとも一つの通信識別子と、前記発信元通信装置により設定された所定の主題識別子であって、所定の主題と関連付けられたメッセージを示す前記所定の主題識別子とを格納する工程と、
一つまたは複数の応答側通信装置のそれぞれに対する少なくとも一つの通信識別子を格納し、各応答側通信装置に一意のタグ識別子を割り当てる工程と、
一つまたは複数の応答側通信装置から発せられた前記所定の主題識別子を含む受信メッセージを選択し、選択されたメッセージのそれぞれに、その出所に基づいて適切なタグ識別子を加え、前記選択されたメッセージを前記発信元通信装置に、その少なくとも一つの通信識別子を用いて送信する工程と、
前記発信元通信装置からメッセージを受信し、格納された通信識別子を用いて、前記メッセージ中に含まれる前記所定の主題識別子およびタグ識別子に基づいて、メッセージを適切な応答側通信装置に送信する工程と
を含む方法。
【請求項１４】
通信装置に関連付けられた送信の媒体を格納する工程をさらに含む、請求項１３に記載の方法。
【請求項１５】
発信元装置と適切な応答側通信装置との間で送信されるメッセージを、前記通信装置に対する格納された媒体識別子に基づいてメッセージを受信する通信装置に適合するフォーマットに変換する工程をさらに含む、請求項１４に記載の方法。
【請求項１６】
前記ルータが受信したメッセージは、マーク・アップ言語フォーマットに変換される、請求項１１に記載の方法。
【請求項１７】
発信元通信装置と一つまたは複数の応答側通信装置との間でメッセージを匿名で送るための通信システムであって、メッセージは主題識別子を含み、ルータおよび通信装置はそれぞれ、少なくとも一つの通信識別子を有し、
前記システムは、
前記発信元通信装置に対する少なくとも一つの通信識別子と、前記発信元通信装置により設定された所定の主題識別子であって、所定の主題に関連付けられたメッセージを示す前記所定の主題識別子とを格納する格納手段を備えるルータと、
前記一つまたは複数の応答側通信装置に、前記所定の主題識別子と前記ルータに対する少なくとも一つの通信識別子とを与える手段と
を備え、
前記ルータは、前記一つまたは複数の応答側通信装置から発せられたメッセージを検出し、所定の主題識別子を含む受信メッセージを選択する手段を含み、
前記ルータは、前記一つまたは複数の応答側通信装置のそれぞれに対する少なくとも一つの通信識別子を格納し、各応答側通信装置に一意のタグ識別子を割り当てる手段を含み、
前記ルータは、各タグ識別子を各選択されたメッセージに、その出所の応答側通信装置に基づいて加え、メッセージを前記発信元通信装置に、該発信元通信装置に対する格納された少なくとも一つの通信識別子を用いて送信する手段を含む、通信システム。
【請求項１８】
前記通信システムは、前記発信元通信装置から発せられ、特定の応答側通信装置に送られる返答メッセージを検出し、前記返答メッセージに対する所定の主題識別子と一意のタグ識別子とを決定する手段を有する前記ルータと、
前記返答メッセージを適切な応答側通信装置に、格納された通信識別子を用いて、決定された所定の主題識別子およびタグ識別子に基づいて送信する手段を有する前記ルータと
をさらに備える、請求項１７に記載の通信システム。